(57)【特許請求の範囲】
【請求項１】
前面開口部を有する断熱箱体は外箱と内箱との間に断熱材を発泡充填したもので、前記前面開口部は外箱前部と内箱前部とを有し、前記外箱前部は前記断熱箱体の開口面に略平行に延びた外箱平面部と、折返し部を有せずに曲げ加工で前記外箱平面部の前記内箱側の端部より前記断熱箱体の奥側方向に延びた外箱立上げ部のみを備え、前記内箱は前記外箱立上げ部と係合し前記内箱の移動が規制されるとともに、水平面のみで構成された前記内箱前部を前記外箱平面部の前記断熱材側に固着したことを特徴とする冷蔵庫。
【請求項２】
前記外箱立上げ部の曲げ方向を貯蔵室側よりも断熱材側とした請求項１に記載の冷蔵庫。
【請求項３】
前記外箱立上げ部を断熱材側にカーリング加工した請求項１または２に記載の冷蔵庫。
【発明の詳細な説明】
【技術分野】
【０００１】
本発明は冷蔵庫の断熱箱体の構造に関するものである。
【背景技術】
【０００２】
従来、冷蔵庫の断熱箱体の構造を簡素化するために、外箱と内箱とを接着剤あるいは粘着剤にて固定したものがある（例えば、特許文献１参照）。
【０００３】
図４は、前記公報に記載された従来の冷蔵庫の概略構成斜視図、図５は、図４のＡ−Ａ線断面図を示すものである。
【０００４】
図４、図５に示すように、冷蔵庫１の断熱箱体２は、外箱３と内箱４との間に発泡断熱材５を充填発泡して構成される。外箱３は、外箱前面フランジ３ａを内側に折返して折返し部３ｂを形成している。また、内箱４は内箱前面フランジ４ａを備え、内箱フランジ４ａの外面と、折返し部３ｂを除く外箱前面フランジ３ａの内面とを接着剤あるいは粘着剤などの固着剤６にて固定している。
【先行技術文献】
【特許文献】
【０００５】
【特許文献１】実開昭５８−１１１８９３号公報
【発明の概要】
【発明が解決しようとする課題】
【０００６】
しかしながら、前記従来の構成では、折返し部３ｂを内箱前面フランジ４ａと固着していないので、例えば発泡断熱材５を充填発泡する時や、冷蔵庫１を運転して冷蔵庫１の内部が冷却された時などに、外箱３と内箱４との間に隙間が発生し、外観意匠を損ねる可能性があるという課題を有していた。
【０００７】
また、折返し部３ｂを設けることで、外箱３を形成する材料には加工性に優れるものが必要となり、材料単価が高い材料を採用する必要がある。
【０００８】
もし、加工性の劣る材料を採用した際には、折返し部３ｂに微細な亀裂が生じ、特に表面処理鋼板の場合は、その亀裂から錆が発生してしまう。
【０００９】
本発明は、前記従来の課題を解決するもので、外箱３の材料に高い加工性を有する材料を採用しなくても、冷蔵庫１の外観意匠を確保した冷蔵庫を提供することを目的とする。
【課題を解決するための手段】
【００１０】
前記従来の課題を解決するために、本発明の冷蔵庫は、前面開口部を有する断熱箱体は外箱と内箱との間に断熱材を発泡充填したもので、前記前面開口部は外箱前部と内箱前部とを有し、前記外箱前部は前記断熱箱体の開口面に略平行に延びた外箱平面部と、折返し部を有せずに曲げ加工で前記外箱平面部の前記内箱側の端部より前記断熱箱体の奥側方向に延びた外箱立上げ部のみを備え、前記内箱は前記外箱立上げ部と係合し前記内箱の移動が規制されるとともに、水平面のみで構成された前記内箱前部を前記外箱平面部の前記断熱材側に固着したものである。
【００１１】
これにより、前面開口部において外箱立上げ部と内箱前部とが常に重なって構成されるので、多少内箱が変形したり固着部が剥離しても、隙間を利用者から見ることはできないので、冷蔵庫の外観意匠を損ねることはない。
【００１２】
また、外箱の加工が曲げのみとなるので、外箱の材料は高い加工性を必要としない。
【００１３】
また、外箱立上げ部により折返しした場合よりも外箱の断面２次モーメントが増大し、外箱の剛性が向上するので、外箱に内箱を固着した場合の断熱箱体の剛性が向上する。
【００１４】
更に、外箱立上げ部の端面が冷蔵庫本体の奥側を向いているので、利用者からは端面が見えず、外箱の材料に表面処理鋼板を採用した場合でも端面の錆により冷蔵庫の外観意匠を損ねることはない。
【発明の効果】
【００１５】
本発明の冷蔵庫は、加工性の低い材料で外箱を形成しても、冷蔵庫の外観意匠を確保することができる。
【図面の簡単な説明】
【００１６】
【図１】本発明の実施の形態１における冷蔵庫の正面図
【図２】図１の冷蔵庫のＢ−Ｂ線要部断面図
【図３】本発明の実施の形態２における冷蔵庫の図２に相当するＢ−Ｂ線要部断面図
【図４】従来の冷蔵庫の概略構成斜視図
【図５】図４のＡ−Ａ線断面図
【発明を実施するための形態】
【００１７】
第１の発明は、前面開口部を有する断熱箱体は外箱と内箱との間に断熱材を発泡充填したもので、前記前面開口部は外箱前部と内箱前部とを有し、前記外箱前部は前記断熱箱体の開口面に略平行に延びた外箱平面部と、折返し部を有せずに曲げ加工で前記外箱平面部の前記内箱側の端部より前記断熱箱体の奥側方向に延びた外箱立上げ部のみを備え、前記内箱は前記外箱立上げ部と係合し前記内箱の移動が規制されるとともに、水平面のみで構成された前記内箱前部を前記外箱平面部の前記断熱材側に固着したものである。
【００１８】
これにより、前面開口部において外箱立上げ部と内箱前部とが常に重なって構成されるので、多少内箱が変形しても、隙間を利用者から見ることはできないので、冷蔵庫の外観意匠を確保することができる。
【００１９】
また、外箱の加工が曲げのみとなるので、外箱の材料は高い加工性を必要としないため、安価な材料を採用することができ、冷蔵庫本体のコストダウンが可能となる。また、外箱立上げ部により、折返しした場合よりも外箱の断面２次モーメントが増大し、外箱の剛性が向上するので、外箱に内箱を固着した場合の断熱箱体の剛性が向上し、冷蔵庫本体の耐久性を向上させることができる。
【００２０】
更に、外箱立上げ部の端面が冷蔵庫本体の奥側を向いているので、利用者からは端面が見えず、外箱の材料に表面処理鋼板を採用した場合でも端面の錆により冷蔵庫の外観意匠を損ねることはない。
【００２１】
第２の発明は、第１の発明において、前記外箱立上げ部の曲げ方向を貯蔵室側よりも断熱材側としたものである。
【００２２】
これにより、更に外箱立上げ部の端面が利用者から見えにくくなるので、冷蔵庫の外観意匠をより確保しやすくなる。また、同時に外箱立上げ部の端面を利用者が触れにくくなるので、外箱加工時に発生するカエリに触れて利用者が怪我してしまうことを抑制できる。
【００２３】
第３の発明は、第１または第２の発明において、前記外箱立上げ部を断熱材側にカーリング加工したものである。
【００２４】
これにより、外箱立上げ部の端面が隠れて、端面を利用者から見えないようにできるので、更に冷蔵庫の概観意匠を確保でき、同時に端面で利用者が怪我することを防止できる。また、カーリング加工により、若干加工性の良い材料を必要とするが、折返しほど良くする必要はないので材料単価は増大しない。
【００２５】
以下、本発明の実施の形態について、図面を参照しながら説明する。なお、本実施の形態によって本発明が限定されるものではない。
【００２６】
（実施の形態１）
図１は本発明の実施の形態１における冷蔵庫の正面図、図２は、図１のＢ−Ｂ線要部断面図を示すものである。
【００２７】
図１、図２において、冷蔵庫本体２０の断熱箱体２１は、樹脂にて形成された内箱２２と鋼板などの金属磁性体にて形成された外箱２３との間に断熱材２４を発泡充填した断熱壁から形成されるものであり、前面開口部２１ａを有し、仕切壁２５により、上部から冷蔵室２６、冷凍室２７、と複数の貯蔵室を形成している。
【００２８】
冷蔵室２６の保存設定温度は冷蔵温度帯に設定され、冷凍室２７の保存設定温度は冷凍温度帯に設定されている。
【００２９】
また、各貯蔵室には全閉時に前面開口部２１ａを閉塞し、断熱箱体２１と連結され、それぞれ断熱壁を有する冷蔵室ドア２６ａ、冷凍室ドア２７ａを備える。
【００３０】
また、断熱箱体２１は冷蔵庫本体２０を運転時に冷却する冷凍サイクル（図示せず）を備えている。
【００３１】
前面開口部２１ａは内箱前部２２ａと外箱前部２３ａとを備える。
【００３２】
外箱前部２３ａは断熱箱体２１の外表側面と一体に折り曲げ形成され、冷蔵庫本体２０の前面開口部２１ａの開口面と略平行に延びた外箱平面部２３ｂと、外箱平面部２３ｂの貯蔵室側端部より立ち上げられ冷蔵庫本体２０の奥側方向に延びた外箱立上げ部２３ｃとを有する。
【００３３】
この時、外箱立上げ部２３ｃは冷蔵庫本体２０の前後方向に対して、貯蔵室側よりも断熱材側に傾斜して曲げられている。また、外箱立上げ部２３ｃは内箱２２と係合するように配置されている。
【００３４】
内箱前部２２ａは外箱平面部２３ｂおよび外箱立上げ部２３ｃよりも断熱材２４側に配置され、接着剤あるいは両面テープなどの粘着剤を用いた固着部材２８にて外箱平面部２３ｂの断熱材２４側にて前面開口部２１ａの全周を固着している。
【００３５】
以上のように構成された冷蔵庫について、以下その動作、作用を説明する。
【００３６】
まず、内箱前部２２ａと外箱前部２３ａとを固着部材２８にて前面開口部２１ａの全周を固着しているので、断熱材２４を発泡充填しても断熱材２４が漏洩することは無い。また、外箱立上げ部２３ｃは内箱２２と係合するように配置されているので、断熱材２４を発泡充填する際の、内箱２２の移動を規制でき、断熱箱体２１の寸法精度を高めることが
できる。
【００３７】
また、冷凍サイクルの運転により冷蔵庫本体２０の各貯蔵室が冷却されると、貯蔵室が冷却される際に、断熱材２４が収縮し固着部材２８による固着部に歪みが生じる可能性があるが、多少内箱が変形して固着部に剥離が発生しても、前面開口部２１ａにおいて外箱立上げ部２３ｃと内箱２２とが係合しており常に重なって構成されるので、意匠性を高めることができるとともに、外箱立上げ部の端面が利用者によって触れられる可能性も低減することができる。
【００３８】
更に、外箱立上げ部２３ｃは冷蔵庫本体２０の奥側、かつ貯蔵室側よりも断熱材側方向に曲げられているので、外箱立上げ部２３ｃの端面は利用者から見えにくくなり、さらに意匠性を高めることができる。
【００３９】
また、外箱２３の加工が曲げのみとなるので、外箱２３の加工は従来の冷蔵庫に比べて簡素化され、低コスト化を図ることができる。
【００４０】
また、外箱立上げ部２３ｃにより、従来のように端部を折返した場合よりも外箱２３の断面２次モーメントが増大し、外箱２３の剛性を向上することができる。
【００４１】
以上のように、本実施の形態では、断熱材２４の収縮により多少内箱が変形しても、隙間を利用者から見ることはできないので、冷蔵庫の外観意匠を確保することができ、外箱２３加工時に発生するカエリ等の不具合を抑制することができる。
【００４２】
また、外箱２３の材料は高い加工性を必要としないため、安価な材料を採用することができ、冷蔵庫本体２０のコストダウンが可能となる。
【００４３】
また、外箱２３に内箱２２を固着した場合の断熱箱体２１の剛性が向上するので、冷蔵庫本体２０の耐久性を向上させることができる。
【００４４】
（実施の形態２）
図３は本発明の実施の形態２における冷蔵庫の図１のＢ−Ｂ線要部断面図を示すものである。なお、実施の形態１と同一の構成に関しては同一符号を付し、詳細な説明を省略する。
【００４５】
図３において、冷蔵庫本体１００の断熱箱体１０１は、樹脂にて形成された内箱１０２と鋼板などの金属磁性体にて形成された外箱１０３との間に断熱材１０４を発泡充填した断熱壁から形成されるものであり、前面開口部１０１ａを有し、仕切壁１０５により、上部から冷蔵室１０６、冷凍室１０７と複数の貯蔵室を形成している。
【００４６】
冷蔵室１０６の保存設定温度は冷蔵温度帯に設定され、冷凍室１０７の保存設定温度は冷凍温度帯に設定されている。
【００４７】
また、各貯蔵室には全閉時に前面開口部１０１ａを閉塞し、断熱箱体１０１と連結され、それぞれ断熱壁を有する冷蔵室ドア１０６ａ、冷凍室ドア１０７ａを備える。
【００４８】
前面開口部１０１ａは内箱前部１０２ａと外箱前部１０３ａとを備える。
【００４９】
外箱前部１０３ａは断熱箱体１０１の外表側面と一体に折り曲げ形成され、冷蔵庫本体１００の前面開口部１０１ａの開口面左右方向と略平行に延びた外箱平面部１０３ｂと、外箱平面部１０３ｂの貯蔵室側端部より立ち上げられ冷蔵庫本体１００の奥側かつ断熱材
１０４側方向にカーリング加工された外箱立上げ部１０３ｃとを有する。
【００５０】
この時、外箱立上げ部１０３ｃは曲面状に曲げられ、その先端部は外箱平面部１０３ｂに近接している。さらに、先端部は内箱１０２と係合して配置している。
【００５１】
内箱前部１０２ａは外箱平面部１０３ｂおよび外箱立上げ部１０３ｃよりも断熱材１０４側に配置され、接着剤あるいは両面テープなどの粘着剤を用いた固着部材１０８にて外箱平面部１０３ｂの断熱材１０４側にて前面開口部１０１ａの全周を固着している。
【００５２】
以上のように構成された冷蔵庫について、以下その動作、作用を説明する。
【００５３】
まず、内箱前部１０２ａと外箱前部１０３ａとを固着部材１０８にて前面開口部１０１ａの全周を固着しているので、断熱材１０４を発泡充填しても断熱材１０４が漏洩することは無い。
【００５４】
また、冷凍サイクルの運転により冷蔵庫本体１００の各貯蔵室が冷却されると、貯蔵室が冷却される際に、断熱材１０４が収縮し固着部材１０８による固着部に歪みが生じる可能性があるが、多少内箱が変形して固着部に剥離が発生しても、前面開口部１０１ａにおいてカーリング加工された外箱立上げ部１０３ｃと内箱２２とが係合しており常に重なって構成されるので、意匠性を高めることができるとともに、外箱立上げ部１０３ｃの端面が利用者によって触れられる可能性も低減することができる。
【００５５】
更に、外箱立上げ部１０３ｃはカーリング加工されているので、外箱立上げ部２３ｃの端面は利用者から見えにくくなり、さらに意匠性を高めることができる。
【００５６】
外箱立上げ部１０３ｃのカーリング加工のために外箱１０３は若干加工性の良い材料を必要とするが、折返しほど良くする必要はなく低コスト化を図ることができる。
【００５７】
以上のように、本実施の形態では、断熱材１０４の収縮により多少内箱が変形しても、隙間や外箱立上げ部１０３ｃの端面を利用者が見たり触れることはできないので、冷蔵庫の外観意匠を確保することができ、外箱１０３加工時に発生するカエリ等の不具合を抑制することができる。
【００５８】
また、外箱１０３の材料は高い加工性を必要としないため、安価な材料を採用することができ、冷蔵庫本体１００のコストダウンが可能となる。
【産業上の利用可能性】
【００５９】
以上のように、本発明にかかる冷蔵庫は、加工性の低い材料で外箱を形成しても、断熱箱体の外観意匠を確保することができるので、他の断熱箱体を備えた機器に適用できる。
【符号の説明】
【００６０】
２０，１００  冷蔵庫本体
２１，１０１  断熱箱体
２１ａ，１０１ａ  前面開口部
２２，１０２  内箱
２２ａ，１０２ａ  内箱前部
２３，１０３  外箱
２３ａ，１０３ａ  外箱前部
２３ｂ，１０３ｂ  外箱平面部
２３ｃ，１０３ｃ  外箱立上げ部
２４，１０４  断熱材
２６，１０６  冷蔵室
２７，１０７  冷凍室
２８，１０８  固着部材
【図１】
0005934909.tif 000002
【図２】
0005934909.tif 000003
【図３】
0005934909.tif 000004
【図４】
0005934909.tif 000005
【図５】
0005934909.tif 000006